(57)【特許請求の範囲】
【請求項１】
帯電防止靴の電気抵抗を測定する測定装置であって、
前記帯電防止靴を両足に着用した被験者の身体の一部を接触させるための第１電極と、
前記被験者の一方の足を載せるための第２電極と、
Ｎ（Ｎは２以上の整数）個の抵抗レンジに区分され下限抵抗値から上限抵抗値までの測定可能レンジ内において前記電気抵抗を測定する抵抗測定部と、
前記測定可能レンジのうち前記電気抵抗が合格と判断される合格レンジを設定する設定部と、
前記抵抗測定部を制御して、前記第１電極と前記第２電極との間の第１電気抵抗を測定する測定制御部と、
を備え、
前記測定制御部は、前記抵抗測定部を制御して、前記第１電気抵抗の測定を前記測定可能レンジから選択された第１初期レンジから開始し、
前記設定部は、前記Ｎ個の抵抗レンジのうちから前記合格レンジとして少なくとも１個の抵抗レンジを設定し、
前記測定制御部は、
前記第１初期レンジを前記測定可能レンジのうち前記合格レンジ内から選択するレンジ選択部と、
前記第１電気抵抗が前記合格レンジに含まれるか否かを判定する合格判定部と、
を含む
測定装置。
【請求項２】
前記レンジ選択部は、前記設定部により前記合格レンジとして設定された前記少なくとも１個の抵抗レンジのうちの一の抵抗レンジを前記第１初期レンジとして選択する
請求項１に記載の測定装置。
【請求項３】
前記設定部は、前記Ｎ（Ｎは３以上の整数）個の抵抗レンジのうちから前記合格レンジとしてＭ（Ｍは３以上Ｎ以下の整数）個の抵抗レンジを設定し、
前記レンジ選択部は、前記Ｍ個の抵抗レンジのうち、電気抵抗が最も低い抵抗レンジ及び電気抵抗が最も高い抵抗レンジ以外の中間抵抗レンジを前記第１初期レンジとして選択する
請求項２に記載の測定装置。
【請求項４】
前記設定部は、前記Ｎ（Ｎは３以上の整数）個の抵抗レンジのうちから前記合格レンジとしてＭ（Ｍは３以上Ｎ以下の奇数）個の抵抗レンジを設定し、
前記レンジ選択部は、前記Ｍ個の抵抗レンジのうち中央の抵抗レンジを前記第１初期レンジとして選択する
請求項３に記載の測定装置。
【請求項５】
前記第１電気抵抗が含まれる抵抗レンジを判定するレンジ判定部をさらに備え、
前記抵抗測定部は、前記レンジ選択部により選択された抵抗レンジである測定レンジごとに前記電気抵抗を測定し、
前記レンジ判定部は、前記第１電気抵抗が前記測定レンジに含まれるか否かを判定し、
前記レンジ選択部は、前記第１電気抵抗が前記測定レンジより高いと前記レンジ判定部により判定されると、現在の測定レンジより高い抵抗レンジを次の測定レンジとして選択し、前記第１電気抵抗が前記測定レンジより低いと前記レンジ判定部により判定されると、現在の測定レンジより低い抵抗レンジを次の測定レンジとして選択する
請求項２〜４のいずれか１項に記載の測定装置。
【請求項６】
前記レンジ判定部は、
前記上限抵抗値を含む最高抵抗レンジが前記測定レンジとして前記レンジ選択部により選択されているときに、前記第１電気抵抗が前記測定レンジより高いと判定すると、前記第１電気抵抗が前記最高抵抗レンジより高い抵抗レンジに含まれると判定し、
前記下限抵抗値を含む最低抵抗レンジが前記測定レンジとして前記レンジ選択部により選択されているときに、前記第１電気抵抗が前記測定レンジより低いと判定すると、前記第１電気抵抗が前記最低抵抗レンジより低い抵抗レンジに含まれると判定する
請求項５に記載の測定装置。
【請求項７】
前記測定制御部は、前記第１電気抵抗が含まれる抵抗レンジが前記レンジ判定部により判定されると、前記第１電気抵抗の測定を終了する
請求項５又は６に記載の測定装置。
【請求項８】
前記測定制御部は、前記第１電気抵抗が前記合格レンジに含まれないと前記合格判定部により判定されると、前記第１電気抵抗の測定を終了する
請求項２〜６のいずれか１項に記載の測定装置。
【請求項９】
前記被験者の他方の足を載せるための第３電極をさらに備え、
前記測定制御部は、前記第１電気抵抗の測定が終了すると、前記抵抗測定部を制御して、第２初期レンジから前記第１電極と前記第３電極との間の第２電気抵抗の測定を開始し、
前記レンジ選択部は、前記第１電気抵抗が含まれる抵抗レンジが前記レンジ判定部により判定されたときに前記測定レンジとして選択していた抵抗レンジを、前記第２初期レンジとして選択し、
前記合格判定部は、前記第２電気抵抗が前記合格レンジに含まれるか否かを判定する
請求項７、又は、請求項５若しくは６を引用する請求項８に記載の測定装置。
【請求項１０】
前記被験者の他方の足を載せるための第３電極をさらに備え、
前記測定制御部は、前記第１電気抵抗の測定が終了すると、前記抵抗測定部を制御して、第２初期レンジから前記第１電極と前記第３電極との間の第２電気抵抗の測定を開始し、
前記レンジ選択部は、前記設定部により前記合格レンジとして設定された前記少なくとも１個の抵抗レンジのうちの一の抵抗レンジを前記第２初期レンジとして選択し、
前記合格判定部は、前記第２電気抵抗が前記合格レンジに含まれるか否かを判定する
請求項７又は８に記載の測定装置。
【請求項１１】
帯電防止靴を両足に着用した被験者の身体の一部を接触させるための第１電極と、
前記被験者の一方の足を載せるための第２電極と、
Ｎ（Ｎは２以上の整数）個の抵抗レンジに区分され下限抵抗値から上限抵抗値までの測定可能レンジ内において前記帯電防止靴の電気抵抗を測定する抵抗測定部と、
前記測定可能レンジのうち前記電気抵抗が合格と判断される合格レンジとして前記Ｎ個の抵抗レンジのうちから少なくとも１個の抵抗レンジを設定する設定部と、
を備えた測定装置における測定方法であって、
第１初期レンジを前記測定可能レンジのうち前記合格レンジ内から選択する選択ステップと、
前記抵抗測定部を制御して、前記第１電極と前記第２電極との間の第１電気抵抗を測定する制御ステップと、
前記第１電気抵抗が前記合格レンジに含まれるか否かを判定する判定ステップと、
を含み、
前記制御ステップは、前記抵抗測定部を制御して、前記第１電気抵抗の測定を前記第１初期レンジから開始する、
測定方法。
【請求項１２】
帯電防止靴を両足に着用した被験者の身体の一部を接触させるための第１電極と、
前記被験者の一方の足を載せるための第２電極と、
Ｎ（Ｎは２以上の整数）個の抵抗レンジに区分され下限抵抗値から上限抵抗値までの測定可能レンジ内において前記帯電防止靴の電気抵抗を測定する抵抗測定部と、
前記測定可能レンジのうち前記電気抵抗が合格と判断される合格レンジとして前記Ｎ個の抵抗レンジのうちから少なくとも１個の抵抗レンジを設定する設定部と、
を備えた測定装置において実行される測定プログラムであって、
前記測定装置のコンピュータに対して、
第１初期レンジを前記測定可能レンジのうち前記合格レンジ内から選択する選択処理と、
前記抵抗測定部を制御して、前記第１電極と前記第２電極との間の第１電気抵抗を測定する制御処理と、
前記第１電気抵抗が前記合格レンジに含まれるか否かを判定する判定処理と、
を実行させ、
前記制御処理は、前記抵抗測定部を制御して、前記第１電気抵抗の測定を前記第１初期レンジから開始する、
測定プログラム。
【発明の詳細な説明】
【技術分野】
【０００１】
本発明は、帯電防止靴の電気抵抗を測定する技術に関するものである。
【背景技術】
【０００２】
人体は、歩行などの動作による摩擦、帯電した衣服又は靴からの静電誘導などによって帯電する。人体が帯電すると、可燃性物質に着火したり、半導体素子に電撃を与えて破損させたりするなどの悪影響が生じるおそれがある。そこで、このような悪影響を防止するために、発生した静電気が人体に蓄積しないように靴底から床へ逃がすことが求められている。
【０００３】
一般に、人体の帯電を安全なレベルに保持するためには、人体に発生した静電気を数１００ｍｓ以内に床へ逃がし、人体の帯電電位を数１０Ｖ以下に抑制することが必要となっている。この条件を満たすために、靴の電気抵抗を管理することが求められている。
【０００４】
図１５は、帯電防止靴の電気抵抗の管理目標を示す図である。帯電防止靴は、導電靴と静電靴とを含む。図１５に示されるように、導電靴の電気抵抗の管理目標は、０〜０．１Ｍ［Ω］と比較的狭いレンジになっている。これに対して、静電靴の電気抵抗の管理目標は、０．１Ｍ〜１０００Ｍ［Ω］と比較的広いレンジになっている。
【０００５】
従来、このような帯電防止靴の電気抵抗測定装置として、特許文献１に記載の帯電防止靴の電気抵抗測定装置が知られている。この特許文献１に記載の帯電防止靴の電気抵抗測定装置は、左足用電極及び右足用電極を備え、帯電防止靴を着用した被験者が、左足を左足用電極に載せ、右足を右足用電極に載せた状態で、左右の帯電防止靴の電気抵抗の測定が、それぞれ行われる。
【先行技術文献】
【特許文献】
【０００６】
【特許文献１】特許第３６６７８２４号公報
【発明の概要】
【発明が解決しようとする課題】
【０００７】
上述のように、特許文献１に記載の帯電防止靴の電気抵抗測定装置では、左右の帯電防止靴の電気抵抗をそれぞれ測定可能になっている。左右の帯電防止靴の電気抵抗を順番に測定すると、電気回路は簡素な構成で済むが、測定に時間を要してしまう。特に、図１５に示される静電靴の抵抗レンジの管理目標は、０．１Ｍ〜１０００Ｍ［Ω］と比較的広いレンジになっている。このため、複数の抵抗レンジが切り替え可能な抵抗測定回路を用いて、測定レンジが低い抵抗値側から順に切り替えられて測定が行われる。したがって、測定対象の帯電防止靴の電気抵抗が含まれる抵抗レンジが探索されるまでに時間を要する場合がある。
【０００８】
一方、時間短縮のために左右の帯電防止靴の電気抵抗を同時に測定可能にするためには、電気回路が複雑な構成となり、コストが上昇してしまう。
【０００９】
上記特許文献１に記載の帯電防止靴の電気抵抗測定装置は、例えば半導体素子製造工場の入口に設置される。そして、帯電防止靴を着用した従業員は、測定を行って管理目標に適合していることが確認された後、工場に入っている。このため、電気抵抗の測定に時間を要すると、朝の出勤時には、多数の従業員が測定装置の前に並ぶこととなる。
【００１０】
したがって、コストが上昇することなく、測定に長時間を要しない帯電防止靴の電気抵抗測定装置が望まれている。しかしながら、上記特許文献１に記載の電気抵抗測定装置では、この点が十分に検討されていない。
【００１１】
本発明は、コストが上昇することなく、測定に過度の時間を要しない帯電防止靴の電気抵抗測定装置、測定方法及び測定プログラムを提供することを目的とする。
【課題を解決するための手段】
【００１２】
本発明の一局面は、帯電防止靴の電気抵抗を測定する測定装置であって、前記帯電防止靴を両足に着用した被験者の身体の一部を接触させるための第１電極と、前記被験者の一方の足を載せるための第２電極と、下限抵抗値から上限抵抗値までの測定可能レンジ内において前記電気抵抗を測定する抵抗測定部と、前記測定可能レンジのうち前記電気抵抗が合格と判断される合格レンジを設定する設定部と、前記抵抗測定部を制御して、前記測定可能レンジから選択された第１初期レンジから前記第１電極と前記第２電極との間の第１電気抵抗の測定を開始する測定制御部と、を備え、前記測定制御部は、前記第１初期レンジを前記測定可能レンジのうち前記合格レンジ内から選択するレンジ選択部と、前記第１電気抵抗が前記合格レンジに含まれるか否かを判定する合格判定部と、を含むものである。
【００１３】
上記構成によれば、下限抵抗値から上限抵抗値までの測定可能レンジ内において帯電防止靴の電気抵抗が抵抗測定部により測定される。測定可能レンジのうち電気抵抗が合格と判断される合格レンジが設定部により設定される。測定制御部により、測定可能レンジから選択された第１初期レンジから第１電極と第２電極との間の第１電気抵抗の測定が開始される。レンジ選択部により、第１初期レンジは、測定可能レンジのうち合格レンジ内から選択される。合格判定部により、第１電気抵抗が合格レンジに含まれるか否かが判定される。
【００１４】
一般に、普通に使用されている帯電防止靴の電気抵抗は、合格レンジに含まれることが多いと考えられる。このため、合格レンジ内から第１初期レンジが選択されることから、第１電気抵抗が合格レンジに含まれると直ぐに判定されることが多い。また、一方の足に着用された帯電防止靴の電気抵抗が測定される。このため、両足に着用された帯電防止靴の電気抵抗が同時に測定される場合に比べて、構成が簡素化される。その結果、コストが上昇することなく、帯電防止靴の電気抵抗の測定に過度の時間を要しないという利点がある。
【００１５】
上記構成において、前記測定可能レンジは、Ｎ（Ｎは２以上の整数）個の抵抗レンジに区分されてもよい。前記設定部は、前記Ｎ個の抵抗レンジのうちから前記合格レンジとして少なくとも１個の抵抗レンジを設定してもよい。前記レンジ選択部は、前記設定部により前記合格レンジとして設定された前記少なくとも１個の抵抗レンジのうちの一の抵抗レンジを前記第１初期レンジとして選択してもよい。
【００１６】
上記構成によれば、測定可能レンジがＮ（Ｎは２以上の整数）個の抵抗レンジに区分されている。Ｎ個の抵抗レンジのうちから合格レンジとして少なくとも１個の抵抗レンジが設定される。合格レンジとして設定された少なくとも１個の抵抗レンジのうちの一の抵抗レンジが第１初期レンジとして選択される。
【００１７】
一般に、普通に使用されている帯電防止靴の電気抵抗は、合格レンジに含まれることが多いと考えられる。したがって、合格レンジとして設定された少なくとも１個の抵抗レンジのうちの一の抵抗レンジが第１初期レンジとして選択されることから、第１電気抵抗が合格レンジに含まれると直ぐに判定されることが多い。その結果、帯電防止靴の電気抵抗の測定に過度の時間を要しないという利点がある。
【００１８】
上記構成において、前記設定部は、前記Ｎ（Ｎは３以上の整数）個の抵抗レンジのうちから前記合格レンジとしてＭ（Ｍは３以上Ｎ以下の整数）個の抵抗レンジを設定してもよい。前記レンジ選択部は、前記Ｍ個の抵抗レンジのうち、電気抵抗が最も低い抵抗レンジ及び電気抵抗が最も高い抵抗レンジ以外の中間抵抗レンジを前記第１初期レンジとして選択してもよい。
【００１９】
上記構成によれば、Ｎ（Ｎは３以上の整数）個の抵抗レンジのうちから合格レンジとしてＭ（Ｍは３以上Ｎ以下の整数）個の抵抗レンジが設定される。合格レンジとして設定されたＭ個の抵抗レンジのうち、電気抵抗が最も低い抵抗レンジ及び電気抵抗が最も高い抵抗レンジ以外の中間抵抗レンジが第１初期レンジとして選択される。
【００２０】
一般に、普通に使用されている帯電防止靴の電気抵抗は、合格レンジとして設定されたＭ個の抵抗レンジのうちでも、中央の抵抗値に近いことが多いと考えられる。このため、中間抵抗レンジが第１初期レンジとして選択されることから、第１電気抵抗が中間抵抗レンジに含まれると直ぐに判定されることが多い。したがって、帯電防止靴の電気抵抗の測定に過度の時間を要しないという利点がある。
【００２１】
上記構成において、前記設定部は、前記Ｎ（Ｎは３以上の整数）個の抵抗レンジのうちから前記合格レンジとしてＭ（Ｍは３以上Ｎ以下の奇数）個の抵抗レンジを設定してもよい。前記レンジ選択部は、前記Ｍ個の抵抗レンジのうち中央の抵抗レンジを前記第１初期レンジとして選択してもよい。
【００２２】
上記構成によれば、Ｎ（Ｎは３以上の整数）個の抵抗レンジのうちから合格レンジとしてＭ（Ｍは３以上Ｎ以下の奇数）個の抵抗レンジが設定される。合格レンジとして設定されたＭ個の抵抗レンジのうち中央の抵抗レンジが第１初期レンジとして選択される。
【００２３】
一般に、普通に使用されている帯電防止靴の電気抵抗は、合格レンジとして設定されたＭ個の抵抗レンジのうちでも、中央の抵抗値に近いことが多いと考えられる。このため、中央の抵抗レンジが第１初期レンジとして決定されることから、第１電気抵抗が中央の抵抗レンジに含まれると直ぐに判定されることが多い。したがって、帯電防止靴の電気抵抗の測定に過度の時間を要しないという利点がある。
【００２４】
上記構成において、前記第１電気抵抗が含まれる抵抗レンジを判定するレンジ判定部をさらに備えてもよい。前記抵抗測定部は、前記レンジ選択部により選択された抵抗レンジである測定レンジごとに前記電気抵抗を測定してもよい。前記レンジ判定部は、前記第１電気抵抗が前記測定レンジに含まれるか否かを判定してもよい。前記レンジ選択部は、前記第１電気抵抗が前記測定レンジより高いと前記レンジ判定部により判定されると、現在の測定レンジより高い抵抗レンジを次の測定レンジとして選択し、前記第１電気抵抗が前記測定レンジより低いと前記レンジ判定部により判定されると、現在の測定レンジより低い抵抗レンジを次の測定レンジとして選択してもよい。
【００２５】
上記構成によれば、第１電気抵抗が含まれる抵抗レンジがレンジ判定部により判定される。抵抗測定部において、レンジ選択部により選択された抵抗レンジである測定レンジごとに電気抵抗が測定される。第１電気抵抗が測定レンジに含まれるか否かがレンジ判定部により判定される。第１電気抵抗が測定レンジより高いとレンジ判定部により判定されると、現在の測定レンジより高い抵抗レンジが次の測定レンジとしてレンジ選択部により選択される。第１電気抵抗が測定レンジより低いとレンジ判定部により判定されると、現在の測定レンジより低い抵抗レンジが次の測定レンジとしてレンジ選択部により選択される。これによって、第１電気抵抗が測定レンジに含まれるか否かの判定が続けられることとなる。
【００２６】
上記構成において、前記レンジ判定部は、前記上限抵抗値を含む最高抵抗レンジが前記測定レンジとして前記レンジ選択部により選択されているときに、前記第１電気抵抗が前記測定レンジより高いと判定すると、前記第１電気抵抗が前記最高抵抗レンジより高い抵抗レンジに含まれると判定してもよい。前記レンジ判定部は、前記下限抵抗値を含む最低抵抗レンジが前記測定レンジとして前記レンジ選択部により選択されているときに、前記第１電気抵抗が前記測定レンジより低いと判定すると、前記第１電気抵抗が前記最低抵抗レンジより低い抵抗レンジに含まれると判定してもよい。
【００２７】
上記構成によれば、上限抵抗値を含む最高抵抗レンジが測定レンジとしてレンジ選択部により選択されているときに、第１電気抵抗が測定レンジより高いと判定されると、第１電気抵抗が最高抵抗レンジより高い抵抗レンジに含まれるとレンジ判定部により判定される。したがって、測定可能レンジより高い抵抗レンジまで判定することができる。また、下限抵抗値を含む最低抵抗レンジが測定レンジとしてレンジ選択部により選択されているときに、第１電気抵抗が測定レンジより低いと判定されると、第１電気抵抗が最低抵抗レンジより低い抵抗レンジに含まれるとレンジ判定部により判定される。したがって、測定可能レンジより低い抵抗レンジまで判定することができる。
【００２８】
上記構成において、前記測定制御部は、前記第１電気抵抗が含まれる抵抗レンジが前記レンジ判定部により判定されると、前記第１電気抵抗の測定を終了してもよい。
【００２９】
上記構成によれば、第１電気抵抗が含まれる抵抗レンジがレンジ判定部により判定されると、測定制御部による第１電気抵抗の測定が終了する。したがって、第１電気抵抗が合格レンジに含まれるかどうかに関係なく、第１電気抵抗が含まれる抵抗レンジを判定することができる。
【００３０】
上記構成において、前記測定制御部は、前記第１電気抵抗が前記合格レンジに含まれないと前記合格判定部により判定されると、前記第１電気抵抗の測定を終了してもよい。
【００３１】
上記構成によれば、第１電気抵抗が合格レンジに含まれないと合格判定部により判定されると、測定制御部による第１電気抵抗の測定が終了する。したがって、第１電気抵抗が含まれる抵抗レンジが判定されるまで測定が継続される場合に比べて、第１電気抵抗の測定を早く終了することができる場合がある。
【００３２】
上記構成において、前記被験者の他方の足を載せるための第３電極をさらに備えてもよい。前記測定制御部は、前記第１電気抵抗の測定が終了すると、前記抵抗測定部を制御して、第２初期レンジから前記第１電極と前記第３電極との間の第２電気抵抗の測定を開始してもよい。前記レンジ選択部は、前記第１電気抵抗が含まれる抵抗レンジが前記レンジ判定部により判定されたときに前記測定レンジとして選択していた抵抗レンジを、前記第２初期レンジとして選択してもよい。前記合格判定部は、前記第２電気抵抗が前記合格レンジに含まれるか否かを判定してもよい。
【００３３】
一般に、普通に使用されている場合には、左足の帯電防止靴の電気抵抗と右足の帯電防止靴の電気抵抗との間に大きな差はないことが多いと考えられる。したがって、第１電気抵抗が含まれる抵抗レンジがレンジ判定部により判定されたときに測定レンジとして選択されていた抵抗レンジが、レンジ選択部により第２初期レンジとして選択されることから、第２電気抵抗が第２初期レンジに含まれると直ぐに判定されることが多い。したがって、帯電防止靴の電気抵抗の測定に過度の時間を要しないという利点がある。また、第１電気抵抗が含まれる抵抗レンジが判定されたときの測定レンジが、そのまま第２初期レンジとして使用されるため、制御構成の簡素化を図ることができる。
【００３４】
また、一方の足に着用された帯電防止靴の電気抵抗が測定された後で、他方の足に着用された帯電防止靴の電気抵抗が測定される。このため、両足に着用された帯電防止靴の電気抵抗が同時に測定される場合に比べて、構成が簡素化されることから、コストを低減することができる。
【００３５】
上記構成において、前記被験者の他方の足を載せるための第３電極をさらに備えてもよい。前記測定制御部は、第１電気抵抗の測定が終了すると、前記抵抗測定部を制御して、第２初期レンジから前記第１電極と前記第３電極との間の第２電気抵抗の測定を開始してもよい。前記レンジ選択部は、前記設定部により前記合格レンジとして設定された前記少なくとも１個の抵抗レンジのうちの一の抵抗レンジを前記第２初期レンジとして選択してもよい。前記合格判定部は、前記第２電気抵抗が前記合格レンジに含まれるか否かを判定してもよい。
【００３６】
上記構成によれば、第１電気抵抗の測定が終了すると、第２初期レンジから第２電気抵抗の測定が開始される。合格レンジとして設定された少なくとも１個の抵抗レンジのうちの一の抵抗レンジが第２初期レンジとして選択される。一般に、普通に使用されている帯電防止靴の電気抵抗は、合格レンジに含まれることが多いと考えられる。このため、合格レンジとして設定された抵抗レンジが第２初期レンジとして選択されることから、第２電気抵抗が第２初期レンジに含まれると直ぐに判定されることが多い。したがって、帯電防止靴の電気抵抗の測定に過度の時間を要しないという利点がある。
【００３７】
本発明の他の局面は、帯電防止靴を両足に着用した被験者の身体の一部を接触させるための第１電極と、前記被験者の一方の足を載せるための第２電極と、下限抵抗値から上限抵抗値までの測定可能レンジ内において前記電気抵抗を測定する抵抗測定部と、前記測定可能レンジのうち前記電気抵抗が合格と判断される合格レンジを設定する設定部と、を備えた測定装置における測定方法であって、第１初期レンジを前記測定可能レンジのうち前記合格レンジ内から選択する選択ステップと、前記抵抗測定部を制御して、前記第１初期レンジから前記第１電極と前記第２電極との間の第１電気抵抗の測定を開始する制御ステップと、前記第１電気抵抗が前記合格レンジに含まれるか否かを判定する判定ステップと、を含むものである。
【００３８】
上記構成によれば、選択ステップにおいて、第１初期レンジが、測定可能レンジのうち合格レンジ内から選択される。制御ステップにおいて、抵抗測定部が制御されて、第１初期レンジから第１電極と第２電極との間の第１電気抵抗の測定が開始される。判定ステップにおいて、第１電気抵抗が合格レンジに含まれるか否かが判定される。
【００３９】
一般に、普通に使用されている帯電防止靴の電気抵抗は、合格レンジに含まれることが多いと考えられる。このため、合格レンジ内から第１初期レンジが選択されることから、第１電気抵抗が合格レンジに含まれると直ぐに判定されることが多い。また、一方の足に着用された帯電防止靴の電気抵抗が測定される。このため、両足に着用された帯電防止靴の電気抵抗が同時に測定される場合に比べて、構成が簡素化される。その結果、コストが上昇することなく、帯電防止靴の電気抵抗の測定に過度の時間を要しないという利点がある。
【００４０】
本発明のさらに他の局面は、帯電防止靴を両足に着用した被験者の身体の一部を接触させるための第１電極と、前記被験者の一方の足を載せるための第２電極と、下限抵抗値から上限抵抗値までの測定可能レンジ内において前記電気抵抗を測定する抵抗測定部と、前記測定可能レンジのうち前記電気抵抗が合格と判断される合格レンジを設定する設定部と、を備えた測定装置において実行される測定プログラムであって、前記測定装置のコンピュータに対して、第１初期レンジを前記測定可能レンジのうち前記合格レンジ内から選択する選択処理と、前記抵抗測定部を制御して、前記第１初期レンジから前記第１電極と前記第２電極との間の第１電気抵抗の測定を開始する制御処理と、前記第１電気抵抗が前記合格レンジに含まれるか否かを判定する判定処理と、を実行させるものである。
【００４１】
上記構成によれば、選択処理により、第１初期レンジが、測定可能レンジのうち合格レンジ内から選択される。制御処理により、抵抗測定部が制御されて、第１初期レンジから第１電極と第２電極との間の第１電気抵抗の測定が開始される。判定処理により、第１電気抵抗が合格レンジに含まれるか否かが判定される。
【００４２】
一般に、普通に使用されている帯電防止靴の電気抵抗は、合格レンジに含まれることが多いと考えられる。このため、合格レンジ内から第１初期レンジが選択されることから、第１電気抵抗が合格レンジに含まれると直ぐに判定されることが多い。また、一方の足に着用された帯電防止靴の電気抵抗が測定される。このため、両足に着用された帯電防止靴の電気抵抗が同時に測定される場合に比べて、構成が簡素化される。その結果、コストが上昇することなく、帯電防止靴の電気抵抗の測定に過度の時間を要しないという利点がある。
【発明の効果】
【００４３】
上述の技術によれば、コストが上昇することなく、帯電防止靴の電気抵抗の測定に過度の時間を要しないという利点がある。
【図面の簡単な説明】
【００４４】
【図１】本実施形態の帯電防止靴の電気抵抗測定装置の外観を概略的に示す斜視図である。
【図２】操作表示部の上面を概略的に示す平面図である。
【図３】操作表示部の下面を概略的に示す平面図である。
【図４】設定部の設定内容を概略的に示す図である。
【図５】図１に示される帯電防止靴の電気抵抗測定装置の電気的構成を概略的に示すブロック図である。
【図６】電気抵抗の測定が行われるときの帯電防止靴を着用した被験者の状態を概略的に示す図である。
【図７】帯電防止靴の電気抵抗測定装置の動作の一例を概略的に示すフローチャートである。
【図８】帯電防止靴の電気抵抗測定装置の動作の一例を概略的に示すフローチャートである。
【図９】図７、図８の動作中における各ＬＥＤの点灯状態を概略的に示す操作表示部の平面図である。
【図１０】図７、図８の動作中における各ＬＥＤの点灯状態を概略的に示す操作表示部の平面図である。
【図１１】図７、図８の動作中における各ＬＥＤの点灯状態を概略的に示す操作表示部の平面図である。
【図１２】図７、図８の動作中における各ＬＥＤの点灯状態を概略的に示す操作表示部の平面図である。
【図１３】図７、図８の動作中における各ＬＥＤの点灯状態を概略的に示す操作表示部の平面図である。
【図１４】図７、図８の動作中における各ＬＥＤの点灯状態を概略的に示す操作表示部の平面図である。
【図１５】帯電防止靴の電気抵抗の管理目標を示す図である。
【発明を実施するための形態】
【００４５】
以下、図面を参照しつつ、本開示の実施の形態が説明される。なお、各図では、同様の要素には同様の符号が付され、適宜、説明が省略される。
【００４６】
図１は、本実施形態の帯電防止靴の電気抵抗測定装置１０の外観を概略的に示す斜視図である。この帯電防止靴の電気抵抗測定装置１０は、操作表示部１１と、電極台１２と、支持棒１３とを含む。
【００４７】
操作表示部１１は、扁平な直方体形状を有し、電極台１２に立設された支持棒１３により支持されている。操作表示部１１の表面には、測定電極１３０が露出している。電極台１２の表面には、帯電防止靴を着用した被験者の左足を載せるための左足用電極１５０と、右足を載せるための右足用電極１６０とが、露出している。
【００４８】
図２は、操作表示部１１の上面を概略的に示す平面図である。図３は、操作表示部１１の下面を概略的に示す平面図である。図４は、設定部１９０の設定内容を概略的に示す図である。
【００４９】
操作表示部１１の左側面には、電源スイッチ１４が設けられている。この電源スイッチ１４がオンにされると、電力供給を受けて、図１に示される電気抵抗測定装置１０が動作する。
【００５０】
操作表示部１１の上面には、左足用レンジ表示部２０と、右足用レンジ表示部３０と、合格レンジ表示部４０と、判定結果表示部５０と、測定電極１３０とが設けられている。
【００５１】
左足用レンジ表示部２０は、例えば赤色の発光ダイオード（ＬＥＤ）２１〜２６を含む。ＬＥＤ２１〜２６は、それぞれ、左足における測定中の抵抗レンジ（以下、「測定レンジ」とも称される）及び測定結果の抵抗レンジ（左足の帯電防止靴の電気抵抗が含まれる抵抗レンジ）を示す。右足用レンジ表示部３０は、例えば赤色のＬＥＤ３１〜３６を含む。ＬＥＤ３１〜３６は、それぞれ、右足における測定中の抵抗レンジ及び測定結果の抵抗レンジ（右足の帯電防止靴の電気抵抗が含まれる抵抗レンジ）を示す。合格レンジ表示部４０は、例えば緑色のＬＥＤ４１〜４５を含む。ＬＥＤ４１〜４５は、それぞれ、対応する抵抗レンジが合格レンジであることを示す。
【００５２】
ＬＥＤ２１，３１，４１は、それぞれ、０〜０．１Ｍ［Ω］の抵抗レンジを示す。ＬＥＤ２２，３２，４２は、それぞれ、０．１Ｍ〜１Ｍ［Ω］の抵抗レンジを示す。ＬＥＤ２３，３３，４３は、それぞれ、１Ｍ〜１０Ｍ［Ω］の抵抗レンジを示す。ＬＥＤ２４，３４，４４は、それぞれ、１０Ｍ〜１００Ｍ［Ω］の抵抗レンジを示す。ＬＥＤ２５，３５，４５は、それぞれ、１００Ｍ〜１０００Ｍ［Ω］の抵抗レンジを示す。ＬＥＤ２６，３６は、それぞれ、１０００Ｍ［Ω］を超える抵抗レンジを示す。
【００５３】
判定結果表示部５０は、帯電防止靴の電気抵抗の判定結果を示す。判定結果表示部５０は、例えば赤色のＬＥＤ５１と、例えば緑色のＬＥＤ５２とを含む。ＬＥＤ５１は、右足及び左足の帯電防止靴の少なくとも一方の電気抵抗が合格レンジから外れていることを示す。ＬＥＤ５２は、右足及び左足の帯電防止靴の両方の電気抵抗が合格レンジに含まれていることを示す。
【００５４】
操作表示部１１の下面には、図３に示されるように、設定部１９０が設けられている。設定部１９０は、本実施形態では例えば６個のディップスイッチを含む。ユーザによりディップスイッチのオンオフが操作されることにより、図４に示されるように、電気抵抗の測定における合格レンジ等が設定される。なお、設定部１９０は、ディップスイッチに限られず、他のスイッチを含んでもよく、合格レンジ等を設定可能であればよい。
【００５５】
図４において、ディップスイッチ１及び２がオンに設定されている場合は、０．１Ｍ［Ω］以下の抵抗レンジ（Ｉ）が合格レンジとされる。これは、図１５から分かるように、導電靴の判定に用いられる。この場合には、上限の電気抵抗の判定が無効とされる。
【００５６】
ディップスイッチ１及び２の少なくとも一方がオフに設定されている場合は、合格レンジの下限の抵抗レンジが決められる。すなわち、ディップスイッチ１がオン、ディップスイッチ２がオフに設定されている場合は、０．１Ｍ［Ω］以下の抵抗レンジ（Ｉ）が合格レンジの下限とされる。ディップスイッチ１，２の両方がオフに設定されている場合は、０．１Ｍ〜１Ｍ［Ω］の抵抗レンジ（ＩＩ）が合格レンジの下限とされる。これは、図１５から分かるように、静電靴の判定に用いられる。ディップスイッチ１がオフ、ディップスイッチ２がオンに設定されている場合は、１Ｍ〜１０Ｍ［Ω］の抵抗レンジ（ＩＩＩ）が合格レンジの下限とされる。
【００５７】
ディップスイッチ３，４により、合格レンジの上限の抵抗レンジが決められる。すなわち、ディップスイッチ３がオン、ディップスイッチ４がオフに設定されている場合は、１Ｍ〜１０Ｍ［Ω］の抵抗レンジ（ＩＩＩ）が合格レンジの上限とされる。これは、図１５から分かるように、測定温度が２３℃の特種静電靴の判定に用いられる。
【００５８】
ディップスイッチ３，４の両方がオフに設定されている場合は、１０Ｍ〜１００Ｍ［Ω］の抵抗レンジ（ＩＶ）が合格レンジの上限とされる。これは、図１５から分かるように、測定温度が０℃の特種静電靴及び測定温度が２３℃の一般静電靴の判定に用いられる。ディップスイッチ３がオフ、ディップスイッチ４がオンに設定されている場合は、１００Ｍ〜１０００Ｍ［Ω］の抵抗レンジ（Ｖ）が合格レンジの上限とされる。これは、図１５から分かるように、測定温度が０℃の一般静電靴の判定に用いられる。
【００５９】
なお、後述のように、電気抵抗が１００Ｍ〜１０００Ｍ［Ω］の抵抗レンジ（Ｖ）より高いと判定されると、電気抵抗は１０００Ｍ［Ω］を超える抵抗レンジ（ＶＩ）に含まれると判定される。そこで、図４には、ディップスイッチの設定とは関係ないが、１０００Ｍ［Ω］を超える抵抗レンジ（ＶＩ）が示されている。
【００６０】
ディップスイッチ５により、判定ブザー２１０（図５）の動作が設定される。ディップスイッチ５がオフの場合には、電気抵抗の測定結果が合格の場合に、判定ブザー２１０がオンにされる。一方、ディップスイッチ５がオンの場合には、電気抵抗の測定結果が不合格の場合に、判定ブザー２１０がオンにされる。
【００６１】
以下では、図４に記載の符号（Ｉ）〜（ＶＩ）を用いて、抵抗レンジ（Ｉ）〜（ＶＩ）と表される。なお、ディップスイッチ６は、本実施形態では、使用されていない。
【００６２】
図２の操作表示部１１は、帯電防止靴の電気抵抗の測定が終了した時点の一例を示している。合格レンジ表示部４０では、ＬＥＤ４２〜４４が点灯している。したがって、図２の測定では、合格レンジが０．１Ｍ〜１Ｍ［Ω］の抵抗レンジ（ＩＩ）、１Ｍ〜１０Ｍ［Ω］の抵抗レンジ（ＩＩＩ）、及び１０Ｍ〜１００Ｍ［Ω］の抵抗レンジ（ＩＶ）の３個の抵抗レンジに設定されたことが分かる。
【００６３】
左足用レンジ表示部２０では、ＬＥＤ２３が点灯している。したがって、左足の電気抵抗は、１Ｍ〜１０Ｍ［Ω］の抵抗レンジ（ＩＩＩ）に含まれていたことが分かる。右足用レンジ表示部３０では、ＬＥＤ３３が点灯している。したがって、右足の電気抵抗も、１Ｍ〜１０Ｍ［Ω］の抵抗レンジ（ＩＩＩ）に含まれていたことが分かる。このように、両足の電気抵抗が合格レンジに含まれているため、図２では、合格を表すＬＥＤ５２が点灯している。
【００６４】
図５は、図１に示される帯電防止靴の電気抵抗測定装置１０の電気的構成を概略的に示すブロック図である。図６は、電気抵抗の測定が行われるときの帯電防止靴を着用した被験者の状態を概略的に示す図である。
【００６５】
図５において、制御部３００は、メモリ３１０及び中央演算処理装置（ＣＰＵ）３２０を備える。メモリ３１０は、例えば、データを一時的に保存するランダムアクセスメモリ（ＲＡＭ）、プログラムを保存するリードオンリーメモリ（ＲＯＭ）等を含む。メモリ３１０には、例えば、抵抗測定回路１８０（後述）に含まれる増幅回路の誤差の補正値などが予め保存されている。メモリ３１０は、例えばフラッシュメモリなどの不揮発性メモリによって構成されてもよい。
【００６６】
ＣＰＵ３２０（測定制御部の一例）は、メモリ３１０に保存されたプログラムを実行することにより、合格レンジ取得部３２１、レンジ選択部３２２、合格判定部３２３、電源切替部３２４、左右切替部３２５、出力制御部３２６、レンジ判定部３２７として機能する。なお、本実施形態では、制御部３００は、ＣＰＵを備えているが、これに限られない。制御部３００は、ＣＰＵ以外の他のハードウェアを備えてもよく、同様の機能を果たすものであればよい。
【００６７】
測定用電源１１０は、電気抵抗を測定するための電源である。測定用電源１１０は、予め定められた直流電圧（例えばＤＣ２０〜３０Ｖの範囲内の電圧）を出力する。測定用電源１１０は、例えば商用電源から直流電圧を生成してもよい。
【００６８】
測定電極１３０（第１電極の一例）は、図１、図２に示されるように、操作表示部１１の表面に露出する電極である。
【００６９】
図６に示されるように、帯電防止靴６１を左足に着用し、帯電防止靴６２を右足に着用した被験者６３は、左足を左足用電極１５０（第２電極の一例）に載せ、右足を右足用電極１６０（第３電極の一例）に載せた状態で、測定電極１３０に手６４で接触する。すると、被験者６３及び帯電防止靴６１を介して、測定電極１３０と左足用電極１５０とが電気的に接続される。また、被験者６３及び帯電防止靴６２を介して、測定電極１３０と右足用電極１６０とが電気的に接続される。
【００７０】
したがって、制御部３００は、被験者６３及び帯電防止靴６１の合成電気抵抗と、被験者６３及び帯電防止靴６２の合成電気抵抗とを測定することになる。ここで、人体の電気抵抗は、通常、１０００［Ω］程度以下である。このため、上記各合成電気抵抗は、それぞれ、帯電防止靴６１，６２の電気抵抗に等しいと見なすことができる。
【００７１】
図５に戻って、測定スイッチ１４０は、測定電極１３０の下部に設けられている。測定スイッチ１４０は、帯電防止靴６１，６２を着用した被験者６３の手６４により測定電極１３０が押されている間、オンにされる。電力供給スイッチ１２０は、電源切替部３２４により制御されて、測定用電源１１０から測定電極１３０への電力供給をオンオフする。電源切替部３２４は、測定スイッチ１４０のオンオフを検出する。電源切替部３２４は、測定電極１３０を被験者６３が手６４で押すことにより測定スイッチ１４０がオンにされている間、電力供給スイッチ１２０をオンにする。
【００７２】
左右切替回路１７０は、左右切替部３２５からの左右切替信号ＬＲに応じて、左足用電極１５０及び右足用電極１６０のいずれか一方を抵抗測定回路１８０に接続する。本実施形態では、左右切替部３２５は、被験者６３が測定スイッチ１４０をオンにすると、左右切替信号ＬＲを左右切替回路１７０に出力して、まず左足用電極１５０を抵抗測定回路１８０に接続する。左右切替部３２５は、左足に着用された帯電防止靴６１の測定が終了すると、左右切替信号ＬＲを左右切替回路１７０に出力して、右足用電極１６０を抵抗測定回路１８０に接続する。これによって、右足に着用された帯電防止靴６２の測定が開始される。なお、左右の順番は、逆でもよい。
【００７３】
抵抗測定回路１８０（抵抗測定部の一例）は、増幅回路を含む公知の回路である。抵抗測定回路１８０は、下限抵抗値から上限抵抗値までの測定可能レンジ内で選択された測定レンジごとに帯電防止靴６１，６２の電気抵抗を測定する。抵抗測定回路１８０は、帯電防止靴６１，６２の電気抵抗が測定レンジの内部に入っているか、測定レンジより高いか、測定レンジより低いかを測定する。抵抗測定回路１８０は、増幅回路のゲインを調整するための４個のフィードバック抵抗を備える。
【００７４】
レンジ選択部３２２から出力される４ビットのレンジ選択信号ＲＳによって、４個のフィードバック抵抗のうち使用されるフィードバック抵抗が選択される。すなわち、４個のうち使用されるフィードバック抵抗が選択されることにより、０．１Ｍ〜１Ｍ［Ω］の抵抗レンジ（ＩＩ）、１Ｍ〜１０Ｍ［Ω］の抵抗レンジ（ＩＩＩ）、１０Ｍ〜１００Ｍ［Ω］の抵抗レンジ（ＩＶ）、１００Ｍ〜１０００Ｍ［Ω］の抵抗レンジ（Ｖ）の４個の抵抗レンジのいずれかが、測定レンジとして選択される。
【００７５】
本実施形態では、図４に示されるように、下限抵抗値から上限抵抗値までの測定可能レンジＲＧ１は、抵抗レンジ（ＩＩ）〜（Ｖ）であり、電気抵抗の判定が可能な判定レンジＲＧ２は、抵抗レンジ（Ｉ）〜（ＶＩ）である。本実施形態において、０．１Ｍ［Ω］が下限抵抗値の一例であり、１０００Ｍ［Ω］が上限抵抗値の一例である。
【００７６】
抵抗測定回路１８０は、測定結果を表す直流電圧値ＶＬの電圧信号ＶＳをＣＰＵ３２０のＡＤ入力端子に出力する。具体的には、抵抗測定回路１８０は、測定された電気抵抗が測定レンジの内部に入っているときは、Ｖ１≦ＶＬ≦Ｖ２の範囲の電圧値ＶＬの電圧信号ＶＳを出力する。抵抗測定回路１８０は、測定された電気抵抗が測定レンジより高いときは、ＶＬ＜Ｖ１の範囲の電圧値ＶＬの電圧信号ＶＳを出力する。抵抗測定回路１８０は、測定された電気抵抗が測定レンジより低いときは、Ｖ２＜ＶＬの範囲の電圧値ＶＬの電圧信号ＶＳを出力する。電圧値Ｖ１，Ｖ２は、例えば０＜Ｖ１＜Ｖ２＜５［Ｖ］の範囲の電圧値である。
【００７７】
レンジ判定部３２７は、抵抗測定回路１８０から入力される電圧信号ＶＳの電圧値ＶＬに基づき、測定されている電気抵抗が測定レンジの内部に入っているか、測定レンジより高いか、測定レンジより低いかを判定する。レンジ判定部３２７は、判定結果をレンジ選択部３２２、合格判定部３２３及び出力制御部３２６に通知する。
【００７８】
合格レンジ取得部３２１は、設定部１９０の各ディップスイッチのオンオフに基づき、ユーザにより設定された合格レンジを取得する。合格レンジ取得部３２１は、取得した合格レンジをレンジ選択部３２２及び合格判定部３２３に通知する。
【００７９】
例えば図２では、上述のように、ＬＥＤ４２〜４４が点灯している。すなわち、合格レンジの下限の抵抗レンジが０．１Ｍ〜１Ｍ［Ω］の抵抗レンジ（ＩＩ）であり、合格レンジの上限の抵抗レンジが１０Ｍ〜１００Ｍ［Ω］の抵抗レンジ（ＩＶ）である。したがって、合格レンジ取得部３２１は、合格レンジとして、０．１Ｍ〜１Ｍ［Ω］、１Ｍ〜１０Ｍ［Ω］、１０Ｍ〜１００Ｍ［Ω］の３個の抵抗レンジ（ＩＩ）、（ＩＩＩ）、（ＩＶ）を取得する。
【００８０】
レンジ選択部３２２は、抵抗測定回路１８０における左足の帯電防止靴６１の測定開始時の最初の測定レンジ（第１初期レンジの一例）を、合格レンジ内の抵抗レンジから選択する。レンジ選択部３２２は、現在の測定レンジを、レンジ判定部３２７及び出力制御部３２６に通知する。
【００８１】
レンジ選択部３２２は、レンジ判定部３２７から通知された判定結果に基づき、抵抗測定回路１８０における測定レンジを選択する。すなわち、測定された電気抵抗が測定レンジより高いとレンジ判定部３２７により判定されると、レンジ選択部３２２は、現在の抵抗レンジより高い抵抗レンジを測定レンジとして選択する。一方、測定された電気抵抗が測定レンジより低いとレンジ判定部３２７により判定されると、レンジ選択部３２２は、現在の抵抗レンジより低い抵抗レンジを測定レンジとして選択する。
【００８２】
また、左足に着用された帯電防止靴６１（図６）の測定の場合に、測定された電気抵抗が含まれる抵抗レンジがレンジ判定部３２７により判定されると、レンジ選択部３２２は、選択されている測定レンジをそのまま維持する。これによって、左足に着用された帯電防止靴６１（図６）の測定終了時の抵抗レンジが最初の測定レンジ（第２初期レンジの一例）として選択されて、右足に着用された帯電防止靴６２（図６）の測定が開始される。
【００８３】
合格判定部３２３は、レンジ判定部３２７から通知された判定結果と、合格レンジ取得部３２１から通知された合格レンジとに基づき、測定された帯電防止靴６１，６２の電気抵抗が合格か不合格かを判定する。合格判定部３２３は、判定結果を出力制御部３２６に通知する。
【００８４】
表示部２００は、図２に示される左足用レンジ表示部２０と、右足用レンジ表示部３０と、合格レンジ表示部４０と、判定結果表示部５０とを含む。なお、本実施形態では、表示部２００は、ＬＥＤにより構成されているが、これに限られない。表示部２００は、例えば液晶ディスプレイパネル又は有機ＥＬパネルにより構成されてもよい。
【００８５】
出力制御部３２６は、合格判定部３２３から通知された帯電防止靴６１，６２の電気抵抗の合格又は不合格の判定結果と、設定部１９０のディップスイッチ５のオンオフとに基づき、判定ブザー２１０のオンオフを制御する。
【００８６】
出力制御部３２６は、表示部２００の各ＬＥＤの点灯及び消灯を制御する。出力制御部３２６は、レンジ選択部３２２からの通知内容に基づき、左足用レンジ表示部２０及び右足用レンジ表示部３０の測定レンジに対応するＬＥＤを点灯する。すなわち、出力制御部３２６は、レンジ選択部３２２により異なる抵抗レンジが測定レンジとして選択されると、点灯するＬＥＤを切り替える。
【００８７】
出力制御部３２６は、左足用レンジ表示部２０及び右足用レンジ表示部３０の測定結果の抵抗レンジに対応するＬＥＤを点灯する。例えば、測定レンジに対応するＬＥＤとしてＬＥＤ２３が点灯された状態で、左足の帯電防止靴６１（図６）の電気抵抗が１Ｍ〜１０Ｍ［Ω］の抵抗レンジ（ＩＩＩ）に含まれるか否かがレンジ判定部３２７によって判定される。そして、例えば図２に示されるように、左足の帯電防止靴６１（図６）が１Ｍ〜１０Ｍ［Ω］の抵抗レンジ（ＩＩＩ）に含まれるとレンジ判定部３２７によって判定される。すると、出力制御部３２６は、測定レンジとして点灯していたＬＥＤ２３を、そのまま測定結果の抵抗レンジに対応するＬＥＤとして点灯させる。
【００８８】
また、例えば、測定レンジに対応するＬＥＤとしてＬＥＤ２５が点灯された状態で、左足の帯電防止靴６１（図６）の電気抵抗が１００Ｍ〜１０００Ｍ［Ω］の抵抗レンジ（Ｖ）に含まれるか否かがレンジ判定部３２７によって判定される。そして、例えば、左足の帯電防止靴６１（図６）の電気抵抗が１００Ｍ〜１０００Ｍ［Ω］の抵抗レンジ（Ｖ）より高いとレンジ判定部３２７によって判定される。すると、出力制御部３２６は、測定レンジとして点灯していたＬＥＤ２５を消灯し、測定結果の抵抗レンジに対応するＬＥＤとしてＬＥＤ２６を点灯させる。
【００８９】
図５において、制御部３００は、帯電防止靴６１，６２の電気抵抗の合格又は不合格の判定結果を示す２値の信号を外部に出力する構成を備えてもよい。あるいは、制御部３００は、帯電防止靴６１，６２の電気抵抗の合格又は不合格の判定結果を含む通信信号として、例えばＵＳＢ規格に準拠した通信信号を外部に出力する構成を備えてもよい。制御部３００がこれらの構成を備えることによって、例えばパーソナルコンピュータなどの外部の装置によって、帯電防止靴６１，６２の電気抵抗を管理することが可能になる。
【００９０】
図７、図８は、帯電防止靴の電気抵抗測定装置１０の動作の一例を概略的に示すフローチャートである。図９〜図１４は、図７、図８の動作中における各ＬＥＤの点灯状態を概略的に示す操作表示部１１の平面図である。操作表示部１１に設けられた電源スイッチ１４（図２）がオンにされると、帯電防止靴の電気抵抗測定装置１０は、図７、図８に示される処理を開始する。
【００９１】
図７のステップＳ１において、合格レンジ取得部３２１は、設定部１９０の各ディップスイッチのオンオフを検出する。合格レンジ取得部３２１は、検出した各ディップスイッチのオンオフに基づき、合格レンジを取得する。合格レンジ取得部３２１は、取得した合格レンジを出力制御部３２６に通知する。図７では、合格レンジ取得部３２１は、合格レンジとして、０．１Ｍ〜１Ｍ［Ω］、１Ｍ〜１０Ｍ［Ω］、１０Ｍ〜１００Ｍ［Ω］の３個の抵抗レンジ（ＩＩ）、（ＩＩＩ）、（ＩＶ）を取得したものとする。
【００９２】
次に、ステップＳ２において、出力制御部３２６は、合格レンジ表示部４０のＬＥＤ４１〜４５のうち、合格レンジに対応するＬＥＤを点灯する。上述のように、ステップＳ１において、０．１Ｍ〜１Ｍ［Ω］、１Ｍ〜１０Ｍ［Ω］、１０Ｍ〜１００Ｍ［Ω］の３個の抵抗レンジ（ＩＩ）、（ＩＩＩ）、（ＩＶ）が取得されている。したがって、出力制御部３２６は、図９に示されるように、ＬＥＤ４２〜４４を点灯する。
【００９３】
次に、ステップＳ３において、電源切替部３２４は、測定スイッチ１４０が被験者６３（図６）によりオンにされたか否かを判断する。測定スイッチ１４０がオンにされていないと判断されると（ステップＳ３でＮＯ）、処理はステップＳ１に戻る。そして、測定スイッチ１４０がオンにされるまで、ステップＳ１，Ｓ２が繰り返される。
【００９４】
ステップＳ３において、測定スイッチ１４０がオンにされたと判断されると（ステップＳ３でＹＥＳ）、ステップＳ４において、電源切替部３２４は、電力供給スイッチ１２０をオンにして、測定用電源１１０からの電力供給を開始する。
【００９５】
次に、ステップＳ５において、レンジ選択部３２２は、レンジ選択信号ＲＳを抵抗測定回路１８０に出力し、合格レンジのうち中央に近い抵抗レンジ、すなわち最も抵抗が高い抵抗レンジ及び最も抵抗が低い抵抗レンジ以外の中間抵抗レンジを最初の測定レンジとして選択する。ここでは、上述のように、合格レンジとして、０．１Ｍ〜１Ｍ［Ω］、１Ｍ〜１０Ｍ［Ω］、１０Ｍ〜１００Ｍ［Ω］の３個の抵抗レンジ（ＩＩ）、（ＩＩＩ）、（ＩＶ）が設定されている。したがって、レンジ選択部３２２は、最初の測定レンジとして、１Ｍ〜１０Ｍ［Ω］の抵抗レンジ（ＩＩＩ）を選択する。
【００９６】
次に、ステップＳ６において、左右切替部３２５は、左右切替信号ＬＲを左右切替回路１７０に出力し、左足用電極１５０を抵抗測定回路１８０に接続する。次に、ステップＳ７において、出力制御部３２６は、現在の測定レンジに対応する左足用レンジ表示部２０のＬＥＤを点灯する。ここでは、１Ｍ〜１０Ｍ［Ω］の抵抗レンジ（ＩＩＩ）が最初の測定レンジとされているので、出力制御部３２６は、図１０に示されるように、ＬＥＤ２３を点灯する。
【００９７】
次に、ステップＳ８において、レンジ判定部３２７は、測定されている電気抵抗が測定レンジの内部に入っているか、測定レンジより高いか、又は測定レンジより低いかを判定する。測定されている電気抵抗が測定レンジより高いと判定されると（ステップＳ８で「より高い」）、処理は、ステップＳ９に進む。測定されている電気抵抗が測定レンジより低いと判定されると（ステップＳ８で「より低い」）、処理は、ステップＳ１２に進む。測定されている電気抵抗が測定レンジの内部に入っていると判定されると（ステップＳ８で「内部」）、処理は、ステップＳ２１（図８）に進む。
【００９８】
ステップＳ９において、レンジ選択部３２２は、現在の測定レンジが、測定可能レンジＲＧ１（図４）において上限抵抗値を含む最高の抵抗レンジか否かを判断する。測定可能レンジＲＧ１（図４）において上限抵抗値を含む最高の抵抗レンジは、本実施形態では１００Ｍ〜１０００Ｍ［Ω］の抵抗レンジ（Ｖ）である。
【００９９】
現在の測定レンジが、最高の抵抗レンジでなければ（ステップＳ９でＮＯ）、処理は、ステップＳ１０に進む。一方、現在の測定レンジが、最高の抵抗レンジであれば（ステップＳ９でＹＥＳ）、処理は、ステップＳ１１に進む。
【０１００】
ステップＳ１０において、レンジ選択部３２２は、レンジ選択信号ＲＳを抵抗測定回路１８０に出力して、測定レンジとして現在より１つ高い抵抗レンジを選択する。その後、処理は、ステップＳ７に戻る。
【０１０１】
ステップＳ９において、現在の測定レンジが、最高の抵抗レンジ（Ｖ）である（ステップＳ９でＹＥＳ）ということは、ステップＳ９でＮＯ、ステップＳ１０、ステップＳ７、ステップＳ８で「より高い」のループが続いてきたということを意味する。つまり、出力制御部３２６は、図１０に示されるようにＬＥＤ２３を点灯した後、次にＬＥＤ２４を点灯し、ステップＳ９でＹＥＳとなった時点では、図１１に示されるように、ＬＥＤ２５を点灯している。
【０１０２】
続くステップＳ１１では、現在の測定レンジが、最高の抵抗レンジ、つまり１００Ｍ〜１０００Ｍ［Ω］の抵抗レンジ（Ｖ）であるため、測定可能レンジＲＧ１内では、これ以上高い抵抗レンジはない。また、ステップＳ８で「より高い」と判断されているため、測定されている電気抵抗が、この最高の抵抗レンジ（Ｖ）より高い。一方、ステップＳ８で「より高い」と判断された時点では、図１１に示されるように、ＬＥＤ２５が点灯されている。そこで、ステップＳ１１において、出力制御部３２６は、図１２に示されるように、ＬＥＤ２５を消灯して、ＬＥＤ２６を点灯する。その後、処理は、ステップＳ２１（図８）に進む。
【０１０３】
ステップＳ１２において、レンジ選択部３２２は、現在の測定レンジが、測定可能レンジＲＧ１（図４）において下限抵抗値を含む最低の抵抗レンジか否かを判断する。測定可能レンジＲＧ１（図４）において下限抵抗値を含む最低の抵抗レンジは、本実施形態では０．１Ｍ〜１Ｍ［Ω］の抵抗レンジ（ＩＩ）である。
【０１０４】
現在の測定レンジが、最低の抵抗レンジでなければ（ステップＳ１２でＮＯ）、処理は、ステップＳ１３に進む。一方、現在の測定レンジが、最低の抵抗レンジであれば（ステップＳ１２でＹＥＳ）、処理は、ステップＳ１４に進む。
【０１０５】
ステップＳ１３において、レンジ選択部３２２は、レンジ選択信号ＲＳを抵抗測定回路１８０に出力して、測定レンジとして現在より１つ低い抵抗レンジを選択する。その後、処理は、ステップＳ７に戻る。
【０１０６】
ステップＳ１２において、現在の測定レンジが、最低の抵抗レンジ（ＩＩ）である（ステップＳ１２でＹＥＳ）ということは、ステップＳ１２でＮＯ、ステップＳ１３、ステップＳ７、ステップＳ８で「より低い」のループが続いてきたということを意味する。つまり、出力制御部３２６は、図１０に示されるようにＬＥＤ２３を点灯した後、ステップＳ１２でＹＥＳとなった時点では、ＬＥＤ２２を点灯している。
【０１０７】
続くステップＳ１４では、現在の測定レンジが、最低の抵抗レンジ、つまり０．１Ｍ〜１Ｍ［Ω］の抵抗レンジ（ＩＩ）であるため、測定可能レンジＲＧ１内では、これ以上低い抵抗レンジはない。また、ステップＳ８で「より低い」と判断されているため、測定されている電気抵抗が、この最低の抵抗レンジ（ＩＩ）より低い。一方、ステップＳ８で「より低い」と判断された時点では、上述のように、ＬＥＤ２２が点灯されている。そこで、ステップＳ１４において、出力制御部３２６は、ＬＥＤ２２を消灯して、ＬＥＤ２１を点灯する。その後、処理は、ステップＳ２１（図８）に進む。
【０１０８】
図８のステップＳ２１において、レンジ判定部３２７は、測定されている電気抵抗が含まれる抵抗レンジをメモリ３１０に保存する。ステップＳ８で「内部」と判定された場合には、ステップＳ２１において、レンジ判定部３２７は、現在の測定レンジをメモリ３１０に保存する。この場合、出力制御部３２６は、現在の測定レンジ、つまり測定されている電気抵抗が含まれる抵抗レンジのＬＥＤの点灯を維持する。
【０１０９】
一方、ステップＳ１１でＬＥＤ２６が点灯された場合には、ステップＳ２１において、レンジ判定部３２７は、測定されている電気抵抗が含まれる抵抗レンジとして、１０００Ｍ［Ω］を超える抵抗レンジ（ＶＩ）をメモリ３１０に保存する。また、ステップＳ１４でＬＥＤ２１が点灯された場合には、ステップＳ２１において、レンジ判定部３２７は、測定されている電気抵抗が含まれる抵抗レンジとして、０．１Ｍ［Ω］以下の抵抗レンジ（Ｉ）をメモリ３１０に保存する。
【０１１０】
ステップＳ２１において、左足の帯電防止靴６１の電気抵抗（第１電気抵抗の一例）の測定が終了し、続くステップＳ２２から、右足の帯電防止靴６２の電気抵抗（第２電気抵抗の一例）の測定が開始される。ステップＳ２２において、左右切替部３２５は、左右切替信号ＬＲを左右切替回路１７０に出力し、右足用電極１６０を抵抗測定回路１８０に接続する。
【０１１１】
次に、ステップＳ２３において、出力制御部３２６は、右足用レンジ表示部３０の測定レンジに対応するＬＥＤを点灯する。ここで、レンジ選択部３２２は、左足の帯電防止靴６１の測定終了後、異なる抵抗レンジを測定レンジとして選択しておらず、左足の帯電防止靴６１の測定終了時の測定レンジがそのまま維持されている。
【０１１２】
したがって、例えば図２に示されるように、左足の帯電防止靴６１の電気抵抗が１Ｍ〜１０Ｍ［Ω］の抵抗レンジ（ＩＩＩ）に含まれていた場合には、出力制御部３２６は、ステップＳ２３において、ＬＥＤ３３を点灯する。
【０１１３】
また、例えば図１２に示されるように、左足の帯電防止靴６１の電気抵抗が１０００Ｍ［Ω］を超える抵抗レンジ（ＶＩ）に含まれると判定されていた場合には、その時点での測定レンジは、１００Ｍ〜１０００Ｍ［Ω］の抵抗レンジ（Ｖ）である。したがって、出力制御部３２６は、ステップＳ２３において、図１３に示されるように、ＬＥＤ３５を点灯する。
【０１１４】
続くステップＳ２４〜Ｓ３０，Ｓ３１は、左足が右足に置き換えられる以外は、ステップＳ８〜Ｓ１４，Ｓ２１と同じである。すなわち、ステップＳ２７では、出力制御部３２６は、ＬＥＤ３６を点灯する。また、ステップＳ３０では、出力制御部３２６は、ＬＥＤ３１を点灯する。
【０１１５】
ステップＳ３２において、合格判定部３２３は、測定結果の合否を判定し、判定結果を出力制御部３２６に通知する。出力制御部３２６は、通知された判定結果に基づき、判定結果表示部５０のＬＥＤ５１又はＬＥＤ５２を点灯する。
【０１１６】
例えば左足の帯電防止靴６１及び右足の帯電防止靴６２の両方の電気抵抗が合格レンジに含まれている場合には、図２に示されるように、出力制御部３２６は、ＬＥＤ５２を点灯する。一方、例えば右足の帯電防止靴６２の電気抵抗が合格レンジに含まれていても、左足の帯電防止靴６１の電気抵抗が合格レンジに含まれていなければ、出力制御部３２６は、図１４に示されるように、ＬＥＤ５１を点灯する。
【０１１７】
次に、ステップＳ３３において、電源切替部３２４は、測定スイッチ１４０のオンオフを判定する。電源切替部３２４は、測定スイッチ１４０がオフにされると、電力供給スイッチ１２０をオフにする。その後、処理はステップＳ１（図７）に戻る。
【０１１８】
なお、図７、図８のステップの順番は一例である。本実施形態では、動作に支障のない限り、ステップの順番が入れ替えられてもよい。例えば、ステップＳ４〜Ｓ６は、互いに入れ替えられてもよい。
【０１１９】
以上説明されたように、本実施形態では、下限抵抗値から上限抵抗値までの測定可能レンジＲＧ１が、０．１Ｍ〜１Ｍ［Ω］の抵抗レンジ（ＩＩ）から１００Ｍ〜１０００Ｍ［Ω］の抵抗レンジ（Ｖ）までのＮ＝４個の抵抗レンジに区分されている。また、電気抵抗を判定可能な判定レンジＲＧ２は、０．１Ｍ［Ω］以下の抵抗レンジ（Ｉ）から１０００Ｍ［Ω］を超える抵抗レンジ（ＶＩ）までの６個の抵抗レンジとなっている。
【０１２０】
また、本実施形態では、０．１Ｍ〜１００Ｍ［Ω］の抵抗レンジ（ＩＩ）、（ＩＩＩ）、（ＩＶ）のＭ＝３個の抵抗レンジが設定部１９０により合格レンジとして設定されている。この設定は、図１５から分かるように、測定温度が０℃の特種静電靴又は測定温度が２３℃の一般静電靴の判定に使用される。
【０１２１】
また、本実施形態では、設定部１９０により合格レンジとして設定された抵抗レンジ（ＩＩ）、（ＩＩＩ）、（ＩＶ）のうち中央の抵抗レンジ（ＩＩＩ）が最初の測定レンジとして選択されて、左足の帯電防止靴６１の電気抵抗の測定が開始される。
【０１２２】
一般に、普通に使用されている帯電防止靴６１の電気抵抗は、合格レンジ内の３個の抵抗レンジのうちでも、中央の抵抗値に近いことが多いと考えられる。したがって、本実施形態によれば、帯電防止靴６１の電気抵抗が含まれる抵抗レンジが判定されるまでに必要な測定レンジの選択回数が少なくて済む。その結果、本実施形態によれば、左足の帯電防止靴６１の電気抵抗の測定に過度の時間を要しないという利点がある。
【０１２３】
また、本実施形態では、最初に測定された、左足の帯電防止靴６１の電気抵抗が含まれている抵抗レンジが判定されたときに抵抗測定回路１８０において測定レンジとして選択されていた抵抗レンジが、次に実行される右足の帯電防止靴６２の電気抵抗の測定における最初の測定レンジとして選択されている。
【０１２４】
一般に、普通に使用されている場合には、左足の帯電防止靴６１の電気抵抗と右足の帯電防止靴６２の電気抵抗との間に大きな差はないと考えられる。したがって、本実施形態では、右足の帯電防止靴６２の電気抵抗が含まれる抵抗レンジが判定されるまでに必要な測定レンジの選択回数が少なくて済む。その結果、本実施形態によれば、右足の帯電防止靴６２の電気抵抗の測定に過度の時間を要しないという利点がある。
【０１２５】
（変形された実施形態）
（１）上記実施形態では、設定部１９０により合格レンジとして設定された抵抗レンジ（ＩＩ）、（ＩＩＩ）、（ＩＶ）のうち中央の抵抗レンジ（ＩＩＩ）が最初の測定レンジとして選択されているが、これに限られない。例えば抵抗レンジ（ＩＩ）又は（ＩＶ）が最初の測定レンジとして選択されてもよい。この場合でも、合格レンジ以外の抵抗レンジが最初の測定レンジとして選択される場合に比べて、帯電防止靴の電気抵抗が含まれる抵抗レンジが見出されるまでに必要な測定レンジの選択回数が少なくて済むという利点がある。
【０１２６】
（２）上記実施形態では、設定部１９０は、合格レンジとして３個の抵抗レンジ（ＩＩ）、（ＩＩＩ）、（ＩＶ）を選択しているが、これに限られない。
【０１２７】
設定部１９０は、例えば、抵抗レンジ（ＩＩ）、（ＩＩＩ）、（ＩＶ）、（Ｖ）の４個の抵抗レンジを合格レンジとして設定してもよい。この設定は、図１５から分かるように、測定温度が０℃の一般静電靴の判定に使用される。
【０１２８】
この場合には、電気抵抗が最も低い抵抗レンジ（ＩＩ）及び電気抵抗が最も高い抵抗レンジ（Ｖ）以外の中間抵抗レンジ（ＩＩＩ）又は（ＩＶ）が最初の測定レンジとして選択されて、左足の帯電防止靴６１の電気抵抗の測定が開始されてもよい。これによって、上記実施形態と同様の効果が得られる。
【０１２９】
あるいはまた、合格レンジの抵抗レンジ（ＩＩ）又は（Ｖ）のいずれかが最初の測定レンジとして選択されて、左足の帯電防止靴６１の電気抵抗の測定が開始されてもよい。これによって、上記変形された実施形態（１）と同様の効果が得られる。
【０１３０】
さらに、設定部１９０は、例えば、抵抗レンジ（ＩＩ）、又は抵抗レンジ（ＩＩＩ）、又は抵抗レンジ（ＩＶ）、又は抵抗レンジ（Ｖ）のいずれか１個の抵抗レンジを合格レンジとして設定してもよい。
【０１３１】
（３）上記実施形態では、最初に測定された左足の帯電防止靴６１の電気抵抗が含まれていた抵抗レンジが、次の右足の帯電防止靴６２の電気抵抗の測定における最初の測定レンジとして選択されているが、これに限られない。右足の帯電防止靴６２の電気抵抗の測定も、左足の帯電防止靴６１の電気抵抗の測定と同様に、合格レンジ内の抵抗レンジが最初の測定レンジとして選択されてもよい。この場合でも、合格レンジ以外の抵抗レンジが最初の測定レンジとして選択される場合に比べて、帯電防止靴の電気抵抗が含まれる抵抗レンジを見出すまでに必要な測定レンジの選択回数が少なくて済むという利点がある。
【０１３２】
（４）上記実施形態では、帯電防止靴６１，６２の電気抵抗が含まれる抵抗レンジがレンジ判定部３２７により判定されるまで、電気抵抗の測定が継続されているが、これに限られない。例えば、ＣＰＵ３２０は、帯電防止靴６１，６２のいずれかの電気抵抗が合格レンジから外れると合格判定部３２３により判定された時点で、測定を終了してもよい。
【産業上の利用可能性】
【０１３３】
上述の実施形態の原理は、帯電防止靴の電気抵抗を測定する技術に好適に利用される。
【符号の説明】
【０１３４】
１０  帯電防止靴の電気抵抗測定装置
６１，６２  帯電防止靴
１３０  測定電極
１５０  左足用電極
１６０  右足用電極
１８０  抵抗測定回路
１９０  設定部
３１０  ＣＰＵ
３２０  メモリ
３２２  レンジ選択部
３２３  合格判定部
３２７  レンジ判定部
ＲＧ１  測定可能レンジ
【図１】
0006346909.tif 000002
【図２】
0006346909.tif 000003
【図３】
0006346909.tif 000004
【図４】
0006346909.tif 000005
【図５】
0006346909.tif 000006
【図６】
0006346909.tif 000007
【図７】
0006346909.tif 000008
【図８】
0006346909.tif 000009
【図９】
0006346909.tif 000010
【図１０】
0006346909.tif 000011
【図１１】
0006346909.tif 000012
【図１２】
0006346909.tif 000013
【図１３】
0006346909.tif 000014
【図１４】
0006346909.tif 000015
【図１５】
0006346909.tif 000016